(57)【要約】      （修正有）【課題】拡げたり、折り畳むことが１回の動作で行え、シール写真などの貼り付けや剥がし、再度の貼り付けを容易に行える折り畳みファイルを提供する。【解決手段】折り線２，３，４群によってパラフィン紙１に、縦横に複数の平行四辺形状の区画部５を形成した。パラフィン紙を扁平状に拡げた状態で、被ファイル物を、接着層を介して目的とする区画部に貼り付けてファイルできる。被ファイル物をファイルした状態で、パラフィン紙をコンパクトに折り畳めて持ち運びを容易に行え、拡げることで被ファイル物群を捲ることなく一挙に見れる。貼り付けている被ファイル物を剥がす際に、パラフィン紙の塗布剤層に接着層を介して貼り付けていることで、剥がしは、被ファイル物を損傷することなく行える。剥がした被ファイル物は接着作用を維持しており、再度の貼り付けを何ら支障なく行える。【選択図】図１
2006247977.tif 000002
【特許請求の範囲】
【請求項１】
四角形状のパラフィン紙には、波状山折り線と波状谷折り線とが交互に形成され、これら波状山折り線と波状谷折り線に対して直交状となる複数の直状折り線は、波状山折り線と波状谷折り線を中にして、山折り線部と谷折り線部とが両側に振り分けて、かつ隣接した直状折り線では振り分け方向が逆として形成され、折り線群によってパラフィン紙には、縦横に複数の平行四辺形状の区画部が形成されていることを特徴とする折り畳みファイル。
【発明の詳細な説明】
【技術分野】
【０００１】
本発明は、たとえばシール写真などをファイルするのに使用される折り畳みファイルに関するものである。
【背景技術】
【０００２】
従来、シール写真は、手帳に貼り付けてファイルするのが一般的であるが、これによると捲りながら見なければならない。そして、一度貼り付けたシール写真を剥がすことは困難であり、また剥がせたとしても、この剥がしたシール写真は損傷が激しいものになるとともに、再度、別の手帳などに貼り付けることは困難である。また、拡げたり、折り畳むことが１回の動作で行えるものとして、折りたたみ地図（たとえば、特許文献１参照。）や折畳みシート（たとえば、特許文献２参照。）が提供されている。
【特許文献１】実願昭５０−１２３１３８号（実開昭５２−３７５５８号）のマイクロフィルム（第２−４図）
【特許文献２】特開平８−４４２９３号公報（第３−４頁、第１−４図）
【発明の開示】
【発明が解決しようとする課題】
【０００３】
しかし、上記した折りたたみ地図や折畳みシートは、四角形状の普通紙に地図などが予め印刷されているものであり、シール写真などのファイルには使用できない。仮に無印刷でシール写真を貼り付け可能としても、前述した手帳と同様に、一度貼り付けたシール写真を剥がすことは困難であり、また剥がしたシール写真は損傷が激しいものになるとともに、再度、別のものに貼り付けることは困難である。
【０００４】
そこで本発明の請求項１記載の発明は、拡げたり、折り畳むことが１回の動作で行えるとともに、シール写真などの貼り付けや剥がし、ならびに再度の貼り付けを容易に行える折り畳みファイルを提供することを目的としたものである。
【課題を解決するための手段】
【０００５】
前述した目的を達成するために、本発明の請求項１記載の折り畳みファイルは、四角形状のパラフィン紙には、波状山折り線と波状谷折り線とが交互に形成され、これら波状山折り線と波状谷折り線に対して直交状となる複数の直状折り線は、波状山折り線と波状谷折り線を中にして、山折り線部と谷折り線部とが両側に振り分けて、かつ隣接した直状折り線では振り分け方向が逆として形成され、折り線群によってパラフィン紙には、縦横に複数の平行四辺形状の区画部が形成されていることを特徴としたものである。
【０００６】
したがって請求項１の発明によると、折り畳み状態から、対角の隅部の２箇所における区画部の部分を離間させることで、まず直状折り線における山折り線部群や谷折り線部群を拡げて、波状山折り線や波状谷折り線により折り畳まれた状態で帯状に拡げ得、次いで波状山折り線群や波状谷折り線群を拡げ、以てパラフィン紙を扁平状に拡げ得る。このように、折り畳まれていたパラフィン紙を、離間させる動作で扁平状に拡げ得、また、逆の動作により、拡げていたパラフィン紙を折り畳み得る。
【０００７】
そして、パラフィン紙を扁平状に拡げた状態で、目的とする区画部に被ファイル物（シール写真など）をファイルし得る。すなわち、被ファイル物の裏面側の接着層を介して貼り付けることで、目的とする区画部に被ファイル物をファイルし得る。したがって、被ファイル物をファイルした状態でパラフィン紙をコンパクトに折り畳み得、また、被ファイル物をファイルした状態のパラフィン紙を扁平状に拡げ得る。
【０００８】
さらに、パラフィン紙を扁平状に拡げた状態で、区画部に貼り付けている被ファイル物を剥がし得、その際に被ファイル物は、パラフィン紙の塗布剤層に接着層を介して貼り付けていることで、剥がし（取り外し）は、被ファイル物を損傷させることなく行える。そして剥がした被ファイル物は、別の折り畳みファイルや手帳などに貼り付け得、その際に被ファイル物は、パラフィン紙の塗布剤層に接着層を介して貼り付けていたことで、剥がしたときに接着層の接着作用は維持されており、以て別の折り畳みファイルや手帳などへの再度の貼り付けは何ら支障なく行える。
【発明の効果】
【０００９】
上記した本発明の請求項１によると、折り畳み状態から、対角の隅部の２箇所における区画部の部分を離間させることで、まず直状折り線における山折り線部群や谷折り線部群を拡げて、波状山折り線や波状谷折り線により折り畳まれた状態で帯状に拡げることができ、次いで波状山折り線群や波状谷折り線群を拡げて、パラフィン紙を扁平状に拡げることができる。このように、折り畳まれていたパラフィン紙を、離間させる動作で扁平状に拡げることができ、また、逆の動作により、拡げていたパラフィン紙を折り畳むことができる。
【００１０】
そして、パラフィン紙を扁平状に拡げた状態で、被ファイル物の裏面側の接着層を介して貼り付けることによって、目的とする区画部に被ファイル物（シール写真など）を容易にファイルできる。したがって、被ファイル物をファイルした状態でパラフィン紙をコンパクトに折り畳むことができて、持ち運びを容易に行うことができる。また、被ファイル物をファイルした状態のパラフィン紙を扁平状に拡げることができ、以て被ファイル物群を捲ることなく一挙に見ることができる。
【００１１】
さらに、パラフィン紙を扁平状に拡げた状態で、区画部に貼り付けている被ファイル物を剥がすことができ、その際に被ファイル物は、パラフィン紙の塗布剤層に接着層を介して貼り付けていることで、剥がし（取り外し）は、被ファイル物を損傷させることなく容易に行うことができる。そして剥がした被ファイル物は、別の折り畳みファイルや手帳などに貼り付けることができ、その際に被ファイル物は、パラフィン紙の塗布剤層に接着層を介して貼り付けていたことで、剥がしたときに接着層の接着作用を維持しており、以て別の折り畳みファイルや手帳などへの再度の貼り付けは、何ら支障なく容易に行うことができる。
【発明を実施するための最良の形態】
【００１２】
［実施の形態］
以下に、本発明の実施の形態を、図に基づいて説明する。
四角形状の紙体は、両面が塗布剤層１ａ，１ｂに処理されたパラフィン紙（蝋紙）１により形成されている。このパラフィン紙１には、波状山折り線２と波状谷折り線３とが交互に、かつ波形状（傾斜形状）が平行される状態で形成されている。そして、これら波状山折り線２と波状谷折り線３に対して直交状となる複数の直状折り線４が形成されている。これら直状折り線４は、波状山折り線２や波状谷折り線３を中にして、山折り線部４Ａと谷折り線部４Ｂとが両側に振り分けて形成され、その際に隣接した直状折り線４を見たとき、山折り線部４Ａと谷折り線部４Ｂとの振り分け方向が逆とされている。
【００１３】
これにより、折り線２，３，４群によってパラフィン紙１には、縦横に複数の平行四辺形状の区画部５が形成される。そして、対角の隅部の２箇所における区画部は操作用区画部６となる。以上の１〜６などによって、折り畳みファイル７の一例が構成される。
【００１４】
以下に、上記した実施の形態における作用を説明する。
図２の（ａ）、図３は、折り畳みファイル７を折り畳んでいる。この状態から両操作用区画部６の部分を把持して離間させることで、まず図２の（ｂ）に示すように、直状折り線４における山折り線部４Ａ群や谷折り線部４Ｂ群が拡がり始め、そして図２の（ｃ）に示すように、波状山折り線２や波状谷折り線３により折り畳まれた状態で帯状に拡がることになる。次いで両操作用区画部６の部分を、波状山折り線２や波状谷折り線３による折り畳み抵抗に抗して離間させることで、図２の（ｄ）に示すように、波状山折り線２群や波状谷折り線３群が拡がり始め、そして図２の（ｅ）に示すように、パラフィン紙１は扁平状に拡がることになる。
【００１５】
このように、折り畳まれていたパラフィン紙１を、両操作用区画部６の部分を離間させる動作で扁平状に拡げ得る。また、図２の（ｅ）に示すように扁平状に拡げているパラフィン紙１は、上述とは逆の動作、すなわち両操作用区画部６の部分を接近させる動作により、図２の（ａ）、図３に示すように折り畳み得る。
【００１６】
そして、パラフィン紙１を扁平状に拡げた状態で、シール写真（被ファイル物の一例）１０のファイルが行える。すなわち、シール写真１０の裏面の保護フィルム１０ａを取り除き、接着層（接着面）１０ｂを露出させた状態で、この接着層１０ｂを介して、いずれかの塗布剤層１ａ，１ｂの面における目的とする区画部５に貼り付けることで、図１に示すように、目的とする区画部５にシール写真１０を容易にファイルし得る。
【００１７】
したがって両操作用区画部６の部分を接近させる動作によって、シール写真１０をファイルした状態で、図２の（ａ）、図３に示すように、コンパクトに折り畳み得、以て持ち運びを容易に行える。また、両操作用区画部６の部分を離間させる動作によって、図１に示すように、シール写真１０をファイルした状態のパラフィン紙１を扁平状に拡げ得、以てシール写真１０群を捲ることなく一挙に見れることになる。
【００１８】
さらに、パラフィン紙１を扁平状に拡げた状態で、区画部５に貼り付けているシール写真１０を剥がし得、その際にシール写真１０は、パラフィン紙１の塗布剤層１ａ，１ｂに接着層１０ｂを介して貼り付けていることで、剥がし（取り外し）は、シール写真１０を損傷させることなく容易に行える。そして剥がしたシール写真１０は、友達などが持っている別の折り畳みファイル７や、友達などが持っている手帳などに貼り付け得る。その際にシール写真１０は、パラフィン紙１の塗布剤層１ａ，１ｂに接着層１０ｂを介して貼り付けていたことで、剥がしたときに接着層１０ｂの接着作用は維持されており、以て別の折り畳みファイル７や手帳などへの再度の貼り付けは、何ら支障なく容易に行える。
【００１９】
上記した実施の形態においては、パラフィン紙１として、両面が塗布剤層１ａ，１ｂに処理され、いずれかの塗布剤層１ａ，１ｂの面における目的とする区画部５にシール写真１０を貼り付けるようにしているが、これは片面が塗布剤層に処理され、この片面における目的とする区画部５にシール写真１０を貼り付けるようにしてもよい。
【００２０】
上記した実施の形態においては、被ファイル物としてシール写真１０が示されているが、これは通常の写真、名刺、テレホンカードなどであってもよい。すなわち、これら被ファイル物の場合、まず両面テープを、その裏面接着層を介して被ファイル物の裏面に貼り付け、そして両面テープの表面側保護膜を剥がして表面接着層を露出させたのち、この表面接着層を介して、目的とする区画部５に被ファイル物を貼り付けてファイルし得る。なお、区画部５の面積は、被ファイル物の大きさ（形状）に合わせて設定されるものである。
【００２１】
上記した実施の形態では、区画部５が５行８列に形成された折り畳みファイル７が示されているが、これは折り畳み時における厚さ（ボリューム）などに応じて、行や列は任意に設定されるものである。
【００２２】
上記した実施の形態では、対角の隅部の２箇所における区画部が操作用区画部６とされているが、かかる操作用区画部６に硬質（厚紙）の表紙体を貼り付けて補強した折り畳みファイル７であってもよい。
【図面の簡単な説明】
【００２３】
【図１】本発明の実施の形態を示し、折り畳みファイルを拡げた状態での説明図である。
【図２】同折り畳みファイルを折り畳み状態から拡げる状態を示す斜視図である。
【図３】同折り畳みファイルの折り畳み状態での側面図である。
【符号の説明】
【００２４】
１      パラフィン紙
２      波状山折り線
３      波状谷折り線
４      直状折り線
４Ａ    山折り線部
４Ｂ    谷折り線部
５      区画部
６      操作用区画部
７      折り畳みファイル
１０    シール写真（被ファイル物）
【図１】
2006247977.tif 000003
【図２】
2006247977.tif 000004
【図３】
2006247977.tif 000005